(57)【特許請求の範囲】
【請求項１】
端末が無線通信により通信可能に接続される第１通信ネットワークと前記端末が前記第１通信ネットワークを介して通信可能に接続される第２通信ネットワークとを含む通信ネットワークにおいて、前記第１通信ネットワークに含まれる通信制御装置であって、
前記第１通信ネットワークに含まれる第１中継装置と前記第２通信ネットワークに含まれる第２中継装置との間の通信区間の通信障害を検知する障害検知手段と、
前記端末と前記第２通信ネットワークとの間で接続確立される通信経路に含まれる第１中継装置及び第２中継装置の組み合わせを示す接続情報を端末毎に記憶する接続情報記憶手段と、
前記接続情報記憶手段に記憶されている接続情報を参照することにより、前記障害検知手段により通信障害が検知された通信区間を含む通信経路が接続確立されている端末を抽出する端末抽出手段と、
前記端末抽出手段により抽出された端末の各々について、通信障害が検知された前記通信区間に含まれる第２中継装置とは異なる第２中継装置を経由する通信経路を確立させる接続復旧処理を実行する接続復旧手段と、
を備える通信制御装置。
【請求項２】
前記第２中継装置は、当該第２中継装置と通信可能に接続された前記第１中継装置に対する死活監視を行い、当該死活監視により当該第２中継装置との間の通信障害が検知された第１中継装置を前記通信制御装置に通知し、
前記障害検知手段は、前記第２中継装置からの通知を受け付けることにより、通知元の第２中継装置と当該第２中継装置により通知された第１中継装置との間の通信区間の通信障害を検知する、
請求項１に記載の通信制御装置。
【請求項３】
前記端末が前記第２通信ネットワークとの間の通信経路を接続確立する処理を実行する際に、前記通信経路に含まれる第１中継装置及び第２中継装置の各々からの通知を受け取ることにより、当該端末についての前記接続情報を取得する接続情報取得手段を更に備え、
前記接続情報記憶手段は、前記接続情報取得手段により取得された前記接続情報を記憶する、
請求項１又は２に記載の通信制御装置。
【請求項４】
前記接続復旧手段は、前記端末抽出手段により抽出された端末の各々について、当該端末の種別を示す情報を取得し、当該端末の種別に基づいて、前記接続復旧処理の方式を決定する、
請求項１〜３のいずれか一項に記載の通信制御装置。
【請求項５】
前記第２中継装置の処理負荷に関する負荷情報を取得する負荷情報取得手段を更に備え、
前記接続復旧手段は、前記接続復旧処理において、前記負荷情報取得手段により取得された前記第２中継装置毎の負荷情報に基づいて、前記端末の接続先候補となる第２中継装置を決定する、
請求項１〜４のいずれか一項に記載の通信制御装置。
【請求項６】
端末が無線通信により通信可能に接続される第１通信ネットワークに含まれる第１中継装置及び通信制御装置と、前記端末が前記第１通信ネットワークを介して通信可能に接続される第２通信ネットワークに含まれる第２中継装置と、を含む通信システムであって、
前記第２中継装置は、
当該第２中継装置と通信可能に接続された前記第１中継装置に対する死活監視を行う死活監視手段と、
前記死活監視手段による死活監視により当該第２中継装置との間の通信障害が検知された第１中継装置を前記通信制御装置に通知する障害通知手段と、を備え、
前記通信制御装置は、
前記障害通知手段からの通知を受け付けることにより、通知元の第２中継装置と当該第２中継装置により通知された第１中継装置との間の通信区間の通信障害を検知する障害検知手段と、
前記端末と前記第２通信ネットワークとの間で接続確立される通信経路に含まれる第１中継装置及び第２中継装置の組み合わせを示す接続情報を端末毎に記憶する接続情報記憶手段と、
前記接続情報記憶手段に記憶されている接続情報を参照することにより、前記障害検知手段により通信障害が検知された通信区間を含む通信経路が接続確立されている端末を抽出する端末抽出手段と、
前記端末抽出手段により抽出された端末の各々について、通信障害が検知された前記通信区間に含まれる第２中継装置とは異なる第２中継装置を前記端末の接続先候補として決定し、決定された第２中継装置を経由する通信経路を確立させる接続復旧処理を実行する接続復旧手段と、を備える、
通信システム。
【発明の詳細な説明】
【技術分野】
【０００１】
本発明は、通信制御装置及び通信システムに関する。
【背景技術】
【０００２】
従来、ＬＴＥ（Long  Term  Evolution）に準拠した無線アクセスネットワークとＩＭＳ（IP  Multimedia  Subsystem）ネットワークとの間の通信障害を検知する仕組みが知られている（非特許文献１（特に５．１．２節）参照）。非特許文献１において、ＬＴＥネットワーク側の中継装置であるＰ−ＧＷ（Packet  data  network  Gateway）がＩＭＳネットワーク側の中継装置であるＰ−ＣＳＣＦ（Proxy  Call  Session  Control  Function）を死活監視する仕組みが、標準仕様として定められている。
【０００３】
上記仕組みでは、Ｐ−ＧＷは、死活監視によってＰ−ＣＳＣＦとの間の通信障害を検知すると、当該Ｐ−ＣＳＣＦを使用する通信経路を接続確立している端末に他のＰ−ＣＳＣＦを再選択させる。具体的には、Ｐ−ＧＷは、Ｐ−ＣＳＣＦディスカバリ（P-CSCF  Discovery）を実行することにより、通信障害が検知されたＰ−ＣＳＣＦとは異なるＰ−ＣＳＣＦ（通信障害が発生していないＰ−ＣＳＣＦ）を検索し、発見されたＰ−ＣＳＣＦを端末に通知する。そして、端末は、Ｐ−ＧＷから通知されたＰ−ＣＳＣＦを再選択することにより、通信障害のない通信経路を新たに接続確立する。
【先行技術文献】
【非特許文献】
【０００４】
【非特許文献１】3GPP  TS  23.380  V10.0.0（2011-03），3rd  Generation  Partnership  Project；Technical  Specification  Group  Core  Network  and  Terminals；IMS  Restoration  Procedures(Release  10)
【発明の概要】
【発明が解決しようとする課題】
【０００５】
しかしながら、上記仕組みは、ＳＧｉ区間の一端に位置するＰ−ＧＷ自身がＰ−ＣＳＣＦディスカバリを実行することが前提となっている。一方、Ｐ−ＣＳＣＦディスカバリを実行する機能は、利便性やオペレータの都合等により、例えばＰＣＲＦ（Policy  and  Charging  Rules  Function）等のＬＴＥネットワーク内のＰ−ＧＷ以外の装置に実装される場合がある。そこで、このように標準仕様から設計変更された場合でも、ＳＧｉ区間の通信障害を検知し、当該通信障害の影響を受ける端末の通信経路を自動復旧する仕組みが要請されている。
【０００６】
本発明は、上記課題に鑑みてなされたものであり、設計の柔軟性を確保しつつ、異なる通信ネットワーク間の通信区間における通信障害発生時に端末の通信経路の自動復旧を行うことができる通信制御装置及び通信システムを提供することを目的とする。
【課題を解決するための手段】
【０００７】
本発明の一側面に係る通信制御装置は、端末が無線通信により通信可能に接続される第１通信ネットワークと端末が第１通信ネットワークを介して通信可能に接続される第２通信ネットワークとを含む通信ネットワークにおいて、第１通信ネットワークに含まれる通信制御装置であって、第１通信ネットワークに含まれる第１中継装置と第２通信ネットワークに含まれる第２中継装置との間の通信区間の通信障害を検知する障害検知手段と、端末と第２通信ネットワークとの間で接続確立される通信経路に含まれる第１中継装置及び第２中継装置の組み合わせを示す接続情報を端末毎に記憶する接続情報記憶手段と、接続情報記憶手段に記憶されている接続情報を参照することにより、障害検知手段により通信障害が検知された通信区間を含む通信経路が接続確立されている端末を抽出する端末抽出手段と、端末抽出手段により抽出された端末の各々について、通信障害が検知された通信区間に含まれる第２中継装置とは異なる第２中継装置を経由する通信経路を確立させる接続復旧処理を実行する接続復旧手段と、を備える。
【０００８】
本発明の一側面に係る通信システムは、端末が無線通信により通信可能に接続される第１通信ネットワークに含まれる第１中継装置及び通信制御装置と、端末が第１通信ネットワークを介して通信可能に接続される第２通信ネットワークに含まれる第２中継装置と、を含む通信システムであって、第２中継装置は、当該第２中継装置と通信可能に接続された第１中継装置に対する死活監視を行う死活監視手段と、死活監視手段による死活監視により当該第２中継装置との間の通信障害が検知された第１中継装置を通信制御装置に通知する障害通知手段と、を備え、通信制御装置は、障害通知手段からの通知を受け付けることにより、通知元の第２中継装置と当該第２中継装置により通知された第１中継装置との間の通信区間の通信障害を検知する障害検知手段と、端末と第２通信ネットワークとの間で接続確立される通信経路に含まれる第１中継装置及び第２中継装置の組み合わせを示す接続情報を端末毎に記憶する接続情報記憶手段と、接続情報記憶手段に記憶されている接続情報を参照することにより、障害検知手段により通信障害が検知された通信区間を含む通信経路が接続確立されている端末を抽出する端末抽出手段と、端末抽出手段により抽出された端末の各々について、通信障害が検知された通信区間に含まれる第２中継装置とは異なる第２中継装置を端末の接続先候補として決定し、決定された第２中継装置を経由する通信経路を確立させる接続復旧処理を実行する接続復旧手段と、を備える。
【０００９】
上記通信制御装置又は上記通信システムによれば、第１通信ネットワークに含まれる通信制御装置が、第１通信ネットワークに含まれる第１中継装置と第２通信ネットワークに含まれる第２中継装置との間の通信区間の通信障害を検知するとともに、接続情報に基づいて当該通信障害の影響を受ける端末を抽出し、抽出された端末の通信経路を自動復旧させることができる。また、上記通信制御装置又は上記通信システムによれば、端末の接続先となる第２中継装置を決定（発見）する機能を通信制御装置が備える構成において、第１中継装置と第２中継装置との間の通信区間の通信障害発生時に、端末の通信経路の自動復旧を実現できる。従って、上記通信制御装置又は上記通信システムによれば、設計の柔軟性を確保しつつ、第１通信ネットワークと第２通信ネットワークとの間の通信区間における通信障害発生時に端末の通信経路の自動復旧を行うことができる。
【００１０】
上記通信制御装置では、第２中継装置は、当該第２中継装置と通信可能に接続された第１中継装置に対する死活監視を行い、当該死活監視により当該第２中継装置との間の通信障害が検知された第１中継装置を通信制御装置に通知し、障害検知手段は、第２中継装置からの通知を受け付けることにより、通知元の第２中継装置と当該第２中継装置により通知された第１中継装置との間の通信区間の通信障害を検知してもよい。
【００１１】
上記通信制御装置によれば、第２中継装置から第１中継装置に対する死活監視に関する通知を受けることにより、通信障害が発生した通信区間（すなわち、当該通信区間の端部となる第１中継装置及び第２中継装置の組み合わせ）を適切に検出することができる。
【００１２】
上記通信制御装置では、端末が第２通信ネットワークとの間の通信経路を接続確立する処理を実行する際に、上記通信経路に含まれる第１中継装置及び第２中継装置の各々からの通知を受け取ることにより、当該端末についての接続情報を取得する接続情報取得手段を更に備え、接続情報記憶手段は、接続情報取得手段により取得された接続情報を記憶してもよい。
【００１３】
上記通信制御装置によれば、端末が第２通信ネットワークとの間の通信経路を接続確立する処理を実行する際に、端末が接続される各装置（第１中継装置及び第２中継装置）からの通知に基づいて、端末の接続情報を確実且つ適宜のタイミングで取得及び記憶することができる。
【００１４】
上記通信制御装置では、接続復旧手段は、端末抽出手段により抽出された端末の各々について、当該端末の種別を示す情報を取得し、当該端末の種別に基づいて、接続復旧処理の方式を決定してもよい。
【００１５】
上記通信制御装置によれば、復旧対象の端末の種別に応じた適切な接続復旧方式を選択することが可能となる。
【００１６】
上記通信制御装置は、第２中継装置の処理負荷に関する負荷情報を取得する負荷情報取得手段を更に備え、接続復旧手段は、接続復旧処理において、負荷情報取得手段により取得された第２中継装置毎の負荷情報に基づいて、端末の接続先候補となる第２中継装置を決定してもよい。
【００１７】
上記通信制御装置によれば、端末の接続を復旧させる際に、各第２中継装置の処理負荷に基づき、端末の接続先候補となる第２中継装置を適切に決定することができる。例えば、処理負荷が予め定めた閾値以下である第２中継装置や処理負荷が最も小さい第２中継装置等を端末の新たな接続先候補として決定することが可能となる。
【発明の効果】
【００１８】
本発明の一側面によれば、設計の柔軟性を確保しつつ、異なる通信ネットワーク間の通信区間における通信障害発生時に端末の通信経路の自動復旧を行うことができる。
【図面の簡単な説明】
【００１９】
【図１】本発明の一実施形態に係る無線通信システムの全体構成を示す図である。
【図２】図１の無線通信システムの一部の機能構成を示すブロック図である。
【図３】図１のＰＣＲＦのハードウェア構成を示す図である。
【図４】接続情報の一例を示す図である。
【図５】アタッチ処理及び登録処理の手順の一例を示すシーケンス図である。
【図６】ＳＧｉ区間の通信障害が発生した際の復旧手順の一例を示すシーケンス図である。
【発明を実施するための形態】
【００２０】
以下、図面を参照しながら、本発明に係る実施形態を説明する。可能な場合には、同様の機能を有する部分には適宜同一の符号を付して、重複する説明を省略する。
【００２１】
図１は、本発明の一実施形態に係る無線通信システムの全体構成を示す図である。同図に示す無線通信システム１は、ＬＴＥ（Long  Term  Evolution）の通信規格（通信プロトコル）に準拠して、端末Ｔに通信サービスを提供する通信システムである。無線通信システム１は、例えばＶｏＬＴＥ（Voice  over  LTE）等の音声通信サービスや、インターネット接続サービス等のデータ通信サービスを端末Ｔに提供する。端末Ｔは、無線通信機能を有する任意の端末である。端末Ｔの具体例としては、スマートフォンやタブレット端末等の携帯端末（移動端末）等が挙げられる。
【００２２】
無線通信システム１は、端末ＴがＬＴＥに準拠した無線通信により通信可能に接続されるＬＴＥネットワーク（第１通信ネットワーク）ＮＷ１と、端末ＴがＬＴＥネットワークＮＷ１を介して通信可能に接続されるパケットデータネットワーク（ＰＤＮ：Packet  Data  Network）であるＩＭＳ（IP  Multimedia  Subsystem）ネットワーク（第２通信ネットワーク）ＮＷ２と、を含む通信ネットワークを構成する。
【００２３】
無線通信システム１は、ｅＮＢ（evolved  Node  B）２と、ＭＭＥ（Mobility  Management  Entity）３と、Ｓ−ＧＷ（Serving  Gateway）４と、Ｐ−ＧＷ（Packet  Data  Network  Gateway）５と、ＰＣＲＦ（Policy  and  Charging  Rules  Function）６と、ＨＳＳ（Home  Subscriber  Server）７と、Ｐ−ＣＳＣＦ（Proxy  Call  Session  Control  Function）８と、を含んで構成されている。ｅＮＢ２、ＭＭＥ３、Ｓ−ＧＷ４、Ｐ−ＧＷ５、及びＰＣＲＦ６は、ＬＴＥネットワークＮＷ１の構成要素である。Ｐ−ＣＳＣＦ８は、ＩＭＳネットワークＮＷ２の構成要素である。
【００２４】
本実施形態の無線通信システム１においては、各装置は、物理的に１台の装置で構成されてもよいし、複数台の装置によって構成された処理システムであってもよい。ただし、Ｐ−ＧＷ５及びＰ−ＣＳＣＦ８は各々複数存在しており、端末Ｔは、複数のＰ−ＧＷ５から選択された一のＰ−ＧＷ５と、複数のＰ−ＣＳＣＦ８から選択された一のＰ−ＣＳＣＦ８と、に接続される。
【００２５】
ｅＮＢ２は、無線アクセス制御機能を有する無線基地局である。ｅＮＢ２は、無線通信によって端末Ｔと接続される。ｅＮＢ２は、端末Ｔから発信があった際の受付制御機能や、他の端末から端末Ｔに着信があった際に端末Ｔを呼び出すページング機能等を基本機能として有する。端末Ｔは、ｅＮＢ２を介してｅＮＢ２の上位装置であるＭＭＥ３及びＳ−ＧＷ４等と通信を行う。
【００２６】
ＭＭＥ３は、ｅＮＢ２を収容し、モビリティ制御やベアラ制御機能等を有する装置である。ＭＭＥ３は、例えば、端末Ｔの待受時の位置管理機能、他の端末から端末Ｔに着信があった際にｅＮＢ２を呼び出すページング機能、及び端末Ｔの認証管理機能等を有する。
【００２７】
Ｓ−ＧＷ４は、ＭＭＥ３及びｅＮＢ２と接続可能にされている。Ｓ−ＧＷ４は、ＭＭＥ３及びｅＮＢ２を介して端末Ｔに接続され、端末Ｔとの間で制御信号及びユーザデータを含むＩＰ（Internet  Protocol）パケットの伝送を行う中継装置である。具体的には、Ｓ−ＧＷ４は、ＭＭＥ３からの指示に基づいてＩＰパケットの中継制御を行う。また、Ｓ−ＧＷ４は、ＰＣＲＦ６から通知されたＱｏＳ（Quality  of  Service）情報に従って、ＩＰパケットの伝達品質制御を行う。
【００２８】
Ｐ−ＧＷ５は、Ｓ−ＧＷ４と接続可能にされている。Ｐ−ＧＷ５は、ＩＭＳネットワークＮＷ２と接続される接続点となる中継装置（第１中継装置）である。すなわち、Ｐ−ＧＷ５は、ＬＴＥネットワークＮＷ１の境界に配置され、ＩＭＳネットワークＮＷ２側の接続点となるＰ−ＣＳＣＦ８と接続される。Ｐ−ＧＷ５は、端末ＴとＩＭＳネットワークＮＷ２との間の通信経路を中継し、ユーザデータを転送する。また、Ｐ−ＧＷ５は、ＰＣＲＦ６から通知されたＱｏＳ情報に従って、ＩＰパケットの伝達品質制御を行う。
【００２９】
ＰＣＲＦ６は、Ｓ−ＧＷ４、Ｐ−ＧＷ５、及びＰ−ＣＳＣＦ８と接続可能にされている。ＱｏＳ情報等のポリシー制御や課金制御のための情報を保持し、それらの情報をＳ−ＧＷ４及びＰ−ＧＷ５に通知する通信制御装置である。ＱｏＳ情報とは、端末Ｔに提供される通信サービスの通信品質に関する情報である。また、ＰＣＲＦ６は、ＩＭＳネットワークＮＷ２への端末Ｔの接続が行われる際の各種認証機能を有する。
【００３０】
また、ＰＣＲＦ６は、使用可能なＰ−ＣＳＣＦ８を発見して端末Ｔに通知するＰ−ＣＳＣＦディスカバリ（P-CSCF  Discovery）を実行する機能（以下「Ｐ−ＣＳＣＦディスカバリ機能」）を備える。標準仕様（3GPP  TS  23.380）では、Ｐ−ＧＷ５がＰ−ＣＳＣＦディスカバリ機能を備えるものと規定されている。しかし、無線通信システム１では、通信制御の利便性の観点から、Ｐ−ＣＳＣＦディスカバリ機能は、Ｐ−ＧＷ５ではなくＰＣＲＦ６に実装されている。
【００３１】
ＨＳＳ７は、ＬＴＥユーザの契約情報及び認証情報を管理するユーザ情報データベースである。ＨＳＳ７は、ＭＭＥ３からの位置登録要求を受け付けて、ＭＭＥ３にＶｏＬＴＥ用ＡＰＮ（Access  Point  Name）を含む加入者情報（加入者プロファイル）を受け渡す。ここで、ＡＰＮは、ネットワーク接続によりデータ通信を行う際に接続先として設定されるアドレス名である。
【００３２】
Ｐ−ＣＳＣＦ８は、セッション開始プロトコル（ＳＩＰ：Session  Initiation  Protocol）のプロキシサーバ機能等を提供する呼制御装置である。具体的には、Ｐ−ＣＳＣＦ８は、Ｐ−ＧＷ５及びＰＣＲＦ６と接続可能にされ、ＩＭＳネットワークＮＷ２内に存在するＳＩＰサーバである図示しないＩ−ＣＳＣＦ（Interrogating  CSCF）及びＳ−ＣＳＣＦ（Serving  CSCF）等と端末Ｔとの間でやり取りされるＳＩＰ信号を中継する中継装置（第２中継装置）である。
【００３３】
Ｐ−ＣＳＣＦ８は、端末Ｔへの音声通信サービスの提供に先立って、Ｐ−ＧＷ５、Ｓ−ＧＷ４、及びｅＮＢ２を経由して、端末ＴとＩＭＳネットワークＮＷ２との間で制御信号を伝送するための通信経路であるＩＭＳデフォルトベアラ（IMS  default  bearer）を中継接続する。さらに、ＩＭＳデフォルトベアラを経由して端末Ｔに対する着信或いは端末Ｔからの発信があった場合には、Ｐ−ＣＳＣＦ８は、ＩＭＳデフォルトベアラと同じ通信経路において、端末ＴとＩＭＳネットワークＮＷ２との間で追加のベアラ（dedicated  bearer）を中継接続する。追加のベアラは、端末Ｔに音声通信サービスを提供するためのユーザデータの伝送用の通信経路である。このように、ＶｏＬＴＥによる音声通信サービスの提供は、端末ＴとＰ−ＣＳＣＦ８との間の同一通信経路上に、ＩＭＳデフォルトベアラ及び追加のベアラが接続確立されることによって実現される。
【００３４】
図１に示す無線通信システム１において、端末ＴとＩＭＳネットワークＮＷ２との間にＩＭＳデフォルトベアラが接続確立された後に、当該ＩＭＳデフォルトベアラに含まれるＰ−ＧＷ５及びＰ−ＣＳＣＦ８の間の通信区間（ＳＧｉ区間Ｒ）に通信障害が発生する場合が考えられる。例えば、ＳＧｉ区間Ｒの通信経路を構成するネットワーク装置（例えばルータ、スイッチ等のノード装置）の故障等によって、Ｐ−ＧＷ５とＰ−ＣＳＣＦ８との間で通信できなくなる通信障害が発生する場合が考えられる。この場合、ＩＭＳデフォルトベアラと同じ通信経路上（すなわち、通信障害が発生したＳＧｉ区間Ｒを含む通信経路上）にユーザデータの伝送用のデディケイテッドベアラを接続確立することができないので、端末Ｔに対する発着信を行うことができないといった問題が生じる。
【００３５】
ここで、Ｐ−ＧＷがＰ−ＣＳＣＦディスカバリ機能を備えることを前提とした標準仕様（3GPP  TS  23.380）では、以下のようにしてＳＧｉ区間の通信障害を検知する仕組みが規定されている。すなわち、標準仕様においては、Ｐ−ＧＷが、端末（当該Ｐ−ＧＷを経由するＩＭＳデフォルトベアラを接続確立している端末）が使用しているＰ−ＣＳＣＦに対する死活監視を実行する。そして、Ｐ−ＧＷは、例えば、当該死活監視においてＰ−ＣＳＣＦから予め設定された時間内に応答が得られない場合に、自装置と当該Ｐ−ＣＳＣＦとの間のＳＧｉ区間の通信障害を検知する。その後、Ｐ−ＧＷは、当該Ｐ−ＧＷを経由するＩＭＳデフォルトベアラのうち、通信障害が検知されたＰ−ＣＳＣＦを経由するＩＭＳデフォルトベアラが接続確立されている各端末について、Ｐ−ＣＳＣＦディスカバリを実行する。Ｐ−ＧＷは、Ｐ−ＣＳＣＦディスカバリの実行により、当該Ｐ−ＧＷと疎通可能なＰ−ＣＳＣＦを端末の接続先候補として決定し、当該Ｐ−ＣＳＣＦの接続先アドレスを端末に通知する。これにより、端末は、Ｐ−ＧＷから通知されたＰ−ＣＳＣＦを再選択し、通信障害のないＩＭＳデフォルトベアラを新たに接続確立することができる。
【００３６】
一方、標準仕様からの設計変更によってＰ−ＧＷではなくＰＣＲＦにＰ−ＣＳＣＦディスカバリ機能が実装された無線通信システム１は、Ｐ−ＣＳＣＦディスカバリ機能をＰＣＲＦ６に実装しつつ、ＳＧｉ区間Ｒの通信障害が発生した場合に端末ＴのＩＭＳデフォルトベアラを自動復旧する復旧手順を実行可能なように構成されている。
【００３７】
以下、図２を用いて、無線通信システム１のうち、上記復旧手順の実行に主に関連するＰ−ＧＷ５、ＰＣＲＦ６、及びＰ−ＣＳＣＦ８の構成について説明する。図２は、上記復旧手順の実行に主に関連する無線通信システム１の一部（Ｐ−ＧＷ５、ＰＣＲＦ６、及びＰ−ＣＳＣＦ８）の機能構成を示すブロック図である。
【００３８】
図２に示すように、Ｐ−ＧＷ５は、Ｐ−ＧＷ通知部５１を備える。ＰＣＲＦ６は、接続情報取得部（接続情報取得手段）６１、接続情報記憶部（接続情報記憶手段）６２、障害検知部（障害検知手段）６３、端末抽出部（端末抽出手段）６４、負荷情報取得部（負荷情報取得手段）６５、負荷情報記憶部６６、端末情報記憶部６７、及び接続復旧部（接続復旧手段）６８を備える。Ｐ−ＣＳＣＦ８は、Ｐ−ＣＳＣＦ通知部８１、Ｐ−ＧＷ情報記憶部８２、死活監視部（死活監視手段）８３、障害通知部（障害通知手段）８４、及び負荷情報通知部８５を備える。
【００３９】
図３は、ＰＣＲＦ６のハードウェア構成を示すブロック図である。図３に示すように、ＰＣＲＦ６は、物理的には、１又は複数のＣＰＵ（Central  Processing  Unit）１０１、主記憶装置であるＲＡＭ（Random  Access  Memory）１０２及びＲＯＭ（Read  Only  Memory）１０３、入力デバイスである入力装置１０４、ディスプレイ等の出力装置１０５、データ送受信デバイスである通信モジュール１０６、ハードディスクドライブ等の補助記憶装置１０７等を含むコンピュータシステムとして構成されている。図２におけるＰＣＲＦ６の各機能は、図３に示されるＣＰＵ１０１、ＲＡＭ１０２等のハードウェア上に１又は複数の所定のコンピュータソフトウェアを読み込ませることにより、ＣＰＵ１０１の制御のもとで入力装置１０４、出力装置１０５、通信モジュール１０６を動作させるとともに、ＲＡＭ１０２や補助記憶装置１０７におけるデータの読み出し及び書き込みを行うことで実現される。また、Ｐ−ＧＷ５及びＰ−ＣＳＣＦ８のハードウェア構成は、上述したＰＣＲＦ６のハードウェア構成と同様である。
【００４０】
図２に示した各機能のうち、Ｐ−ＧＷ通知部５１、Ｐ−ＣＳＣＦ通知部８１、接続情報取得部６１、及び接続情報記憶部６２は、主に、端末Ｔの電源がＯＮにされてから、端末ＴがＩＭＳネットワークＮＷ２との間の通信経路（ＩＭＳデフォルトベアラ）を接続確立するまでに利用される機能である。端末Ｔは、ＬＴＥネットワークＮＷ１を介してＩＭＳネットワークＮＷ２との通信経路を接続確立することで、ＩＭＳネットワークＮＷ２により提供されるＶｏＬＴＥ等のサービスを受けることができる状態になる。一方、図２に示した各機能のうち上記以外の機能は、主に、端末ＴとＩＭＳネットワークＮＷ２との間で接続確立されたＩＭＳデフォルトベアラに含まれるＳＧｉ区間Ｒの通信障害発生時の復旧のために利用される機能である。
【００４１】
以下、端末ＴがＩＭＳネットワークＮＷ２との間の通信経路を接続確立してＩＭＳネットワークＮＷ２により提供されるＶｏＬＴＥ等のサービスを受けることができる状態になるまでに必要となる処理のうち、端末Ｔの電源がＯＮにされてから、端末Ｔに接続先候補のＰ−ＣＳＣＦ８が通知されるまでの処理を「アタッチ処理」という。また、アタッチ処理の完了後に端末Ｔが特定のＰ−ＣＳＣＦ８を選択及び登録するまでの処理を「登録処理」という。アタッチ処理及び登録処理が完了することにより、端末ＴとＩＭＳネットワークＮＷ２との間で、特定のＳＧｉ区間Ｒ（すなわち、特定のＰ−ＧＷ５及び特定のＰ−ＣＳＣＦ８）を経由するＩＭＳデフォルトベアラが接続確立される。
【００４２】
Ｐ−ＧＷ通知部５１は、アタッチ処理の過程で、端末Ｔ或いは端末Ｔのユーザを識別する情報（以下「ＩＤ」）とともに当該端末Ｔが自装置（Ｐ−ＧＷ５）に接続されることをＰＣＲＦ６に通知する手段である。Ｐ−ＧＷ通知部５１は、例えば、端末Ｔ或いは端末Ｔのユーザを識別するＩＤと、自装置（Ｐ−ＧＷ５）を識別する情報（以下「Ｐ−ＧＷ＿ＩＤ」）とをＰＣＲＦ６に通知することにより、当該端末Ｔが自装置に接続されることをＰＣＲＦ６に通知する。
【００４３】
ここで、端末Ｔ或いは端末Ｔのユーザを識別するＩＤは、無線通信システム１を利用する複数の端末Ｔのうちから端末Ｔを一意に特定できる情報であれば何でもよい。ＩＤの例としては、端末Ｔに紐付く電話番号やメールアドレス、端末Ｔを使用するユーザの契約情報（名前、住所、或いはそれらの組み合わせ等）等が挙げられる。また、ＩＤは、端末Ｔやユーザを識別する公知のＩＤ（ＵＤＩＤ、ＩＭＥＩ、ＩＭＳＩ等）であってもよい。また、Ｐ−ＧＷ＿ＩＤは、Ｐ−ＧＷ５を一意に特定できる情報であれば何でもよく、例えば、Ｐ−ＧＷ５の接続先アドレス（ＩＰアドレス）や、ＤＮＳ（Domain  Name  System）によって装置に関連付けられた名前等であってもよい。本実施形態では一例として、Ｐ−ＧＷ＿ＩＤは、Ｐ−ＧＷ５のＰＣＲＦ側アドレス（詳しくは後述）である。
【００４４】
Ｐ−ＣＳＣＦ通知部８１は、登録処理の過程で、端末Ｔ或いは端末Ｔのユーザを識別する情報とともに当該端末Ｔが自装置（Ｐ−ＣＳＣＦ８）に接続されることをＰＣＲＦ６に通知する手段である。Ｐ−ＣＳＣＦ通知部８１は、例えば、上述したＩＤと、自装置（Ｐ−ＣＳＣＦ８）を識別する情報（以下「Ｐ−ＣＳＣＦ＿ＩＤ」）とをＰＣＲＦ６に通知することにより、当該端末Ｔが自装置に接続されることをＰＣＲＦ６に通知する。ここで、Ｐ−ＣＳＣＦ＿ＩＤは、Ｐ−ＣＳＣＦ８を一意に特定できる情報であれば何でもよく、例えば、Ｐ−ＣＳＣＦ８の接続先アドレス（ＩＰアドレス）や、ＤＮＳによって装置に関連付けられる名前等であってもよい。
【００４５】
後述する接続情報取得部６１は、Ｐ−ＧＷ通知部５１から通知される情報（ＩＤとＰ−ＧＷ＿ＩＤとの組）とＰ−ＣＳＣＦ通知部８１から通知される情報（ＩＤとＰ−ＣＳＣＦ＿ＩＤとの組）とを同一のＩＤで紐付けることにより、端末ＴのＩＭＳデフォルトベアラに含まれるＰ−ＧＷ５及びＰ−ＣＳＣＦ８の組み合わせを示す接続情報Ｃを取得する。ここで、ＳＧｉ区間Ｒは、当該区間の端部となるＰ−ＧＷ５及びＰ−ＣＳＣＦ８の各々を特定することにより特定されるため、接続情報Ｃは、端末ＴのＩＭＳデフォルトベアラに含まれるＳＧｉ区間Ｒを特定する情報であるともいえる。
【００４６】
図４は、接続情報の一例を示す図である。図４の例では、接続情報Ｃ１は、ＩＤ「ＩＤ＃１」により特定される端末Ｔが、第１のＰ−ＧＷ５（Ｐ−ＧＷ＃１）及び第１のＰ−ＣＳＣＦ８（Ｐ−ＣＳＣＦ＃１）に接続されていることを示す。つまり、端末ＴがＩＭＳネットワークＮＷ２との間で第１のＰ−ＧＷ５及び第１のＰ−ＣＳＣＦ８を経由するＩＭＳデフォルトベアラを接続確立していることを示す。同様に、接続情報Ｃ２は、ＩＤ「ＩＤ＃２」により特定される端末Ｔが、第１のＰ−ＧＷ５（Ｐ−ＧＷ＃１）及び第２のＰ−ＣＳＣＦ８（Ｐ−ＣＳＣＦ＃２）を経由するＩＭＳデフォルトベアラを接続確立していることを示す。また、接続情報Ｃ３は、ＩＤ「ＩＤ＃３」により特定される端末Ｔが、第２のＰ−ＧＷ５（Ｐ−ＧＷ＃２）及び第１のＰ−ＣＳＣＦ８（Ｐ−ＣＳＣＦ＃１）を経由するＩＭＳデフォルトベアラを接続確立していることを示す。
【００４７】
Ｐ−ＣＳＣＦ８のＰ−ＧＷ情報記憶部８２は、当該Ｐ−ＣＳＣＦ８と接続可能に構成されているＰ−ＧＷ５の各々について、Ｐ−ＣＳＣＦ側アドレス及びＰＣＲＦ側アドレスを記憶する記憶手段である。Ｐ−ＧＷ情報記憶部８２は、例えばＬＴＥネットワークＮＷ１に含まれる装置構成等に関する情報（局データ）を記憶するデータベース等である。
【００４８】
Ｐ−ＣＳＣＦ側アドレスは、Ｐ−ＧＷ５とＰ−ＣＳＣＦ８とが通信する際に利用されるＰ−ＧＷ５の接続インタフェースに紐付く接続先アドレス（例えばＩＰアドレス）である。言い換えれば、Ｐ−ＣＳＣＦ側アドレスは、Ｐ−ＧＷ５のＳＧｉ区間Ｒとのインタフェースに紐付く接続先アドレスである。Ｐ−ＣＳＣＦ側アドレスは、例えば、後述する死活監視部８３からの死活監視用のアドレス（ICMP_ECHOの送信先アドレス）として用いられる。一方、ＰＣＲＦ側アドレスは、Ｐ−ＧＷ５とＰＣＲＦ６とが通信する際に利用されるＰ−ＧＷ５の接続インタフェースに紐付く接続先アドレス（例えばＩＰアドレス）である。
【００４９】
Ｐ−ＣＳＣＦ８の死活監視部８３は、当該Ｐ−ＣＳＣＦ８と通信可能に接続されたＰ−ＧＷ５に対する死活監視を実行する手段である。死活監視部８３は、例えば以下の手順で死活監視を実行する。死活監視部８３は、Ｐ−ＧＷ情報記憶部８２を参照することにより、Ｐ−ＣＳＣＦ８と通信可能に接続されたＰ−ＧＷ５のＰ−ＣＳＣＦ側アドレスを取得する。死活監視部８３は、取得したＰ−ＣＳＣＦ側アドレスを送信先アドレスとして、予めオペレータ等によって設定された時間間隔で特定の信号（ICMP_ECHO）を定期的に送信する。
【００５０】
ここで、信号送信先のＰ−ＧＷ５が正常に動作しており且つ信号送信元のＰ−ＣＳＣＦ８と信号送信先のＰ−ＧＷ５との間のＳＧｉ区間Ｒに通信障害が発生していなければ、死活監視部８３は、信号送信先のＰ−ＧＷ５からICMP_ECHOに対する応答信号を受信する。一方、信号送信先のＰ−ＧＷ５が正常に動作していない場合或いは信号送信元のＰ−ＣＳＣＦ８と信号送信先のＰ−ＧＷ５との間のＳＧｉ区間に通信障害が発生している場合には、死活監視部８３は、信号送信先のＰ−ＧＷ５からICMP_ECHOに対する応答信号を受信できない。従って、死活監視部８３は、Ｐ−ＧＷ５に対してICMP_ECHOを定期的に送信し、ICMP_ECHOに対する応答が途絶えた場合に、信号送信元のＰ−ＣＳＣＦ８と信号送信先のＰ−ＧＷ５との間のＳＧｉ区間Ｒの通信障害（信号送信先のＰ−ＧＷ５自体の障害も含む）を検知することができる。
【００５１】
なお、死活監視部８３は、Ｐ−ＧＷ５に対する死活監視として、Ｐ−ＣＳＣＦ８とＰ−ＧＷ５との間に配置されるネットワーク装置（ルータ、スイッチ等）に対する死活監視を行ってもよい。例えば、Ｐ−ＣＳＣＦ８と特定のＰ−ＧＷ５との間の通信経路が、ネットワーク装置Ａを経由する通信経路Ａとネットワーク装置Ｂを経由する通信経路Ｂとで二重化されている場合を考える。この場合、死活監視部８３は、ネットワーク装置Ａ及びネットワーク装置Ｂの各々に対して定期的にICMP_ECHOを送信し、両方からの応答が途絶えた場合に、Ｐ−ＣＳＣＦ８と特定のＰ−ＧＷ５との間の通信経路Ａ，Ｂの両方の通信障害（二重障害）を検知することができる。このように、死活監視部８３は、Ｐ−ＧＷ５に対して直接ICMP_ECHOを送信する代わりに、Ｐ−ＣＳＣＦ８とＰ−ＧＷ５との間の通信経路（冗長化されている場合には、冗長化された通信経路の各々）に含まれるネットワーク装置に対してICMP_ECHOを送信し、それに対する応答の有無によってＳＧｉ区間Ｒの通信障害の有無を検知してもよい。
【００５２】
死活監視部８３は、上述のＰ−ＧＷ５に対する死活監視によってＰ−ＣＳＣＦ８との間の通信障害を検知すると、当該通信障害が検知されたＰ−ＧＷ５を障害通知部８４に通知する。
【００５３】
障害通知部８４は、死活監視部８３による死活監視によってＰ−ＣＳＣＦ８との間の通信障害が検知されたＰ−ＧＷ５をＰＣＲＦ６に通知する手段である。障害通知部８４は、死活監視部８３からの通知により、送信元のＰ−ＣＳＣＦ８との間の通信障害が検知されたＰ−ＧＷ５を把握する。本実施形態では一例として、障害通知部８４は、Ｐ−ＧＷ情報記憶部８２を参照することにより、通信障害が検知されたＰ−ＧＷ５のＰＣＲＦ側アドレス（Ｐ−ＧＷ＿ＩＤの一例）を取得し、取得したＰＣＲＦ側アドレスをＰＣＲＦ６に通知する。この際、障害通知部８４は、自装置（Ｐ−ＣＳＣＦ８）を識別する情報（Ｐ−ＣＳＣＦ＿ＩＤ）についてもＰＣＲＦ６に通知する。
【００５４】
Ｐ−ＣＳＣＦ８の負荷情報通知部８５は、定期的に当該Ｐ−ＣＳＣＦ８の負荷に関する負荷情報を取得する手段である。負荷情報とは、例えばＰ−ＣＳＣＦ８のＣＰＵ使用率、メモリ使用率、ネットワーク使用率等を示す情報である。負荷情報通知部８５は、例えば、Ｐ−ＣＳＣＦ８とＰＣＲＦ６との間で制御信号の伝送用経路として確立されるC-Plane接続を利用して、適宜のタイミングで負荷情報をＰＣＲＦ６に送信する。適宜のタイミングとは、例えばオペレータ等によって予め定めた所定周期のタイミングでもよいし、Ｐ−ＣＳＣＦ８からＰＣＲＦ６に対して任意の制御信号が送信されるタイミングでもよい。
【００５５】
接続情報取得部６１は、上述したＰ−ＧＷ通知部５１からの通知を受け取ることにより、端末ＴのＩＭＳデフォルトベアラに含まれるＰ−ＧＷ５（すなわち、通知元のＰ−ＧＷ）を識別する情報（Ｐ−ＧＷ＿ＩＤ）を取得する手段である。また、接続情報取得部６１は、上述したＰ−ＣＳＣＦ通知部８１からの通知を受け取ることにより、端末ＴのＩＭＳデフォルトベアラに含まれるＰ−ＣＳＣＦ８（すなわち、通知元のＰ−ＣＳＣＦ８）を識別する情報（Ｐ−ＣＳＣＦ＿ＩＤ）を取得する手段でもある。すなわち、接続情報取得部６１は、Ｐ−ＣＳＣＦ通知部８１及びＰ−ＧＷ通知部５１の各々からの通知を受け取ることにより、端末Ｔが接続されるＰ−ＣＳＣＦ８及びＰ−ＧＷ５の組み合わせ（すなわち、ＳＧｉ区間Ｒ）を示す接続情報Ｃを取得する。
【００５６】
接続情報記憶部６２は、接続情報取得部６１により取得された接続情報Ｃを端末毎に記憶する手段である。接続情報記憶部６２は、後述する端末抽出部６４から参照可能に構成されている。
【００５７】
障害検知部６３は、Ｐ−ＣＳＣＦ８とＰ−ＧＷ５との間のＳＧｉ区間Ｒの通信障害を検知する手段である。本実施形態では一例として、障害検知部６３は、Ｐ−ＣＳＣＦ８の障害通知部８４からの通知を受け取ることにより、通知元のＰ−ＣＳＣＦ８と通知されたＰ−ＧＷ５との間のＳＧｉ区間Ｒの通信障害を検知する。具体的には、障害検知部６３は、Ｐ−ＧＷ＿ＩＤ及びＰ−ＣＳＣＦ＿ＩＤの組について、障害通知部８４から通知を受ける。障害検知部６３は、障害通知部８４から通知されたＰ−ＧＷ＿ＩＤ及びＰ−ＣＳＣＦ＿ＩＤの組を端末抽出部６４に通知する。
【００５８】
端末抽出部６４は、接続情報記憶部６２に記憶されている接続情報Ｃを参照することにより、障害検知部６３により通信障害が検知されたＳＧｉ区間Ｒを含むＩＭＳデフォルトベアラが接続確立されている端末Ｔを抽出する手段である。ここで、障害検知部６３から通知されたＰ−ＧＷ＿ＩＤ及びＰ−ＣＳＣＦ＿ＩＤの組が「Ｐ−ＧＷ＃１」及び「Ｐ−ＣＳＣＦ＃１」である場合について考える。この場合、図４の例において、端末抽出部６４は、Ｐ−ＧＷ＿ＩＤ及びＰ−ＣＳＣＦ＿ＩＤの組が「Ｐ−ＧＷ＃１」及び「Ｐ−ＣＳＣＦ＃１」である接続情報Ｃ１に紐付く端末Ｔ（ＩＤが「ＩＤ＃１」である端末Ｔ）を抽出することになる。
【００５９】
負荷情報取得部６５は、無線通信システム１内の各Ｐ−ＣＳＣＦ８の負荷情報を取得する手段である。負荷情報取得部６５は、各Ｐ−ＣＳＣＦ８の負荷情報通知部８５から、各Ｐ−ＣＳＣＦ８の負荷情報を適宜のタイミングで取得する。負荷情報取得部６５は、このようにして取得した負荷情報をＰ−ＣＳＣＦ８毎に負荷情報記憶部６６に記憶（或いは更新）させる。負荷情報記憶部６６は、各Ｐ−ＣＳＣＦ８の負荷情報を記憶する手段である。
【００６０】
端末情報記憶部６７は、端末Ｔ毎の端末種別を示す端末種別情報を記憶する手段である。端末Ｔの端末種別情報は、例えば、端末Ｔのアタッチ処理の過程において端末情報記憶部６７に記憶される。一例としては、ＨＳＳ７からＭＭＥ３に受け渡される加入者プロファイルに、端末Ｔを使用するユーザの契約情報とともに端末Ｔの端末種別を示す情報が含まれている。そして、当該加入者プロファイルに含まれる情報がアタッチ処理の過程でＰＣＲＦ６に伝送されることで、端末情報記憶部６７に端末Ｔの端末種別情報が記憶される。ここで、端末種別とは、例えばスマートフォン、センサ機器等の分類である。ただし、端末種別は上記分類に限られず、端末Ｔの製造メーカ、機種、型番等を示す情報であってもよい。本実施形態では一例として、端末種別は、スマートフォン及びセンサ機器等の分類を示すものとする。
【００６１】
接続復旧部６８は、端末抽出部６４により抽出された端末Ｔ（すなわち、通信障害が検知されたＳＧｉ区間Ｒを含むＩＭＳデフォルトベアラを接続確立している端末Ｔ）の各々に対して接続復旧処理を実行する手段である。ここで、接続復旧処理とは、通信障害が検知されたＳＧｉ区間Ｒに含まれるＰ−ＣＳＣＦ８とは異なるＰ−ＣＳＣＦ８を端末Ｔの接続先候補として決定し、決定されたＰ−ＣＳＣＦ８を経由する通信経路を新たに接続確立させる処理である。
【００６２】
具体的には、接続復旧部６８は、端末抽出部６４により抽出された端末Ｔの各々について、Ｐ−ＣＳＣＦディスカバリを実行する。ここで、接続復旧部６８は、障害検知部６３によって通信障害が検知されたＳＧｉ区間Ｒに含まれるＰ−ＣＳＣＦ８（すなわち、障害通知部８４からの通知に含まれるＰ−ＣＳＣＦ＿ＩＤによって特定されるＰ−ＣＳＣＦ８）以外のＰ−ＣＳＣＦ８を端末Ｔの接続先候補として決定する。その後、接続復旧部６８は、端末Ｔに、接続先候補として決定したＰ−ＣＳＣＦ８を経由するＩＭＳデフォルトベアラを接続確立させる。
【００６３】
ここで、接続復旧部６８による接続復旧処理の方式としては、例えば、ＩＭＳデフォルトベアラを変更する第１の方式と、ＩＭＳデフォルトベアラを解放及び再構築する第２の方式とがある。
【００６４】
第１の方式は、アタッチ処理によって生成されたＩＭＳデフォルトベアラを解放することなく維持したまま、当該ＩＭＳデフォルトベアラに含まれるＰ−ＣＳＣＦ８を新たなＰ−ＣＳＣＦ８に変更する方式である。つまり、第１の方式では、ＩＭＳデフォルトベアラに含まれるＰ−ＧＷ５は変更されず、Ｐ−ＣＳＣＦ８のみが変更される。
【００６５】
第１の方式では、まず、接続復旧部６８は、Ｐ−ＣＳＣＦディスカバリを実行することにより、新たな接続先候補となるＰ−ＣＳＣＦ８のリスト（以下「Ｐ−ＣＳＣＦリスト」）を生成し、Ｐ−ＣＳＣＦリストを端末Ｔに通知する。その後、端末Ｔが、Ｐ−ＣＳＣＦリストに含まれるＰ−ＣＳＣＦ８の中から新たな接続先となるＰ−ＣＳＣＦ８を決定し、新たな接続先として決定したＰ−ＣＳＣＦ８に対して登録要求を行う。上記手順により、端末ＴのＩＭＳデフォルトベアラに含まれるＰ−ＣＳＣＦ８が、新たな接続先として決定されたＰ−ＣＳＣＦ８に切り替わる。
【００６６】
一方、第２の方式は、アタッチ処理によって生成されたＩＭＳデフォルトベアラを解放（呼解放）した上で、端末ＴにＩＭＳデフォルトベアラを接続確立させることにより、ＩＭＳデフォルトベアラを新たに接続確立（再構築）させる方式である。第２の方式では、ＩＭＳデフォルトベアラに含まれるＰ−ＣＳＣＦ８だけでなく、Ｐ−ＧＷ５についても変更される可能性がある。
【００６７】
第２の方式では、まず、接続復旧部６８は、端末Ｔが接続確立しているＩＭＳデフォルトベアラを解放する。その後、ＩＭＳデフォルトベアラを解放された端末Ｔは、ＩＭＳデフォルトベアラを新たに接続確立するために、ＩＭＳデフォルトベアラの接続要求をＳ−ＧＷ４等を介してＰＣＲＦ６に送信する。接続復旧部６８は、当該端末Ｔからの接続要求を受け付けると、Ｐ−ＣＳＣＦディスカバリを実行する。これにより、接続復旧部６８は、新たな接続先候補となるＰ−ＣＳＣＦ８を含むＰ−ＣＳＣＦリストを生成し、端末Ｔに通知する。その後、端末Ｔが、Ｐ−ＣＳＣＦリストに含まれるＰ−ＣＳＣＦ８の中から新たな接続先となるＰ−ＣＳＣＦ８を決定し、新たな接続先として決定したＰ−ＣＳＣＦ８に対して登録要求を行う。上記手順により、端末ＴのＩＭＳデフォルトベアラが解放された後に、新たな接続先として決定されたＰ−ＣＳＣＦ８を経由するＩＭＳデフォルトベアラが新たに接続確立（再構築）される。
【００６８】
なお、通信障害が検知されたＳＧｉ区間Ｒの通信障害が復旧した場合には、Ｐ−ＣＳＣＦ８からＰＣＲＦ６に対して送信される制御信号により、当該通信障害の復旧が通知される。通信障害が復旧した場合には、もはや端末抽出部６４によって抽出された各端末Ｔに対する接続復旧処理を行う必要はない。そこで、接続復旧部６８（ＰＣＲＦ６）は、接続復旧処理の実行開始前或いは実行中に、接続通信障害が検知されたＳＧｉ区間Ｒについての通信障害の復旧の通知を更に受け取った場合、接続復旧処理を中止してもよい。具体的には、端末抽出部６４により抽出された端末Ｔが１０台存在し、端末抽出部６４が３台目の端末Ｔに対する接続復旧処理の途中でＳＧｉ区間Ｒの通信障害の復旧の通知を受け取った場合、端末抽出部６４は、４台目以降の端末Ｔに対する接続復旧処理を中止してもよい。これにより、無駄な接続復旧処理の実行を防止することができる。
【００６９】
また、接続復旧部６８は、端末抽出部６４により抽出された端末Ｔの各々について、当該端末Ｔの種別を示す端末種別情報を取得し、当該端末Ｔの種別に基づいて、接続復旧処理の方式を決定してもよい。具体的には、接続復旧部６８は、端末情報記憶部６７に記憶された端末Ｔの端末種別情報を参照することにより、端末Ｔの種別を取得（把握）する。そして、接続復旧部６８は、端末Ｔの種別（本実施形態では一例としてスマートフォン又はセンサ機器）に応じた接続復旧処理の方式（第１の方式又は第２の方式）を、当該端末Ｔに対する接続復旧処理の方式として決定する。
【００７０】
例えば、上記第１の方式によれば、ＩＭＳデフォルトベアラの再構築が必要ないため、ＩＭＳデフォルトベアラの再構築を実行する場合と比較して、通信量及び処理手順を少なくできる可能性がある。一方、第１の方式では、Ｐ−ＧＷ５については変更しないため、Ｐ−ＧＷ５が原因でＳＧｉ区間Ｒの通信障害が引き起こされていた場合には、第１の方式による接続復旧処理を実行しても正常なＩＭＳデフォルトベアラが確立されないといったことが起こり得る。このため、ＩＭＳデフォルトベアラを一から生成し直す第２の方式の方が、第１の方式よりも安全且つ確実に、正常なＩＭＳデフォルトベアラを確立できるという利点がある。
【００７１】
そこで、接続復旧部６８は、ユーザによって使用されるスマートフォンである端末Ｔについては、より安全且つ確実に接続復旧処理を行う観点から、第２の方式による接続復旧処理を実行してもよい。一方、接続復旧部６８は、絶対数が多いセンサ機器等の端末Ｔについては、ＬＴＥネットワークＮＷ１にかかる通信負荷及び処理負荷を抑制する観点から、第１の方式による接続復旧処理を実行してもよい。ただし、上記は一例に過ぎず、接続復旧部６８は、上記とは異なる観点から端末Ｔの端末種別に応じた接続復旧処理の方式を決定するように構成されてもよい。
【００７２】
また、接続復旧部６８は、接続復旧処理において、負荷情報取得部６５により取得されたＰ−ＣＳＣＦ８毎の負荷情報（負荷情報記憶部６６に記憶されている負荷情報）に基づいて、端末Ｔの接続先候補となるＰ−ＣＳＣＦ８を決定してもよい。例えば、接続復旧部６８は、接続復旧処理において新たな接続先候補となるＰ−ＣＳＣＦリストを生成する際に、負荷状態（ＣＰＵ使用率、メモリ使用率、ネットワーク使用率等）が他のＰ−ＣＳＣＦ８と比較して小さい（或いは予め設定された閾値以下である）Ｐ−ＣＳＣＦ８のみをＰ−ＣＳＣＦリストに含めるようにしてもよい。或いは、接続復旧部６８は、負荷が高いＰ−ＣＳＣＦ８（負荷状態が予め設定された閾値以上であるＰ−ＣＳＣＦ８）をＰ−ＣＳＣＦリストから除外してもよい。
【００７３】
図５及び図６を用いて、無線通信システム１において実行される手順について説明する。図５は、アタッチ処理及び登録処理の手順の一例を示すシーケンス図である。図６は、ＳＧｉ区間の通信障害が発生した際の復旧手順の一例を示すシーケンス図である。
【００７４】
まず、図５を用いて、アタッチ処理及び登録処理の手順の一例について説明する。ここでは一例として、一連のアタッチ処理及び登録処理によって、図４に示した接続情報Ｃ１が接続情報記憶部６２に記憶される例について説明する。
【００７５】
まず、アタッチ処理の手順（ステップＳ１〜Ｓ７）について説明する。端末Ｔの電源がＯＮにされたタイミングで、端末ＴからｅＮＢ２を経由してＭＭＥ３に、ＩＭＳネットワークＮＷ２に対する接続要求（Attach要求）が送信される（ステップＳ１）。ＭＭＥ３は、ＨＳＳ７との間で位置登録の手順（位置登録要求／応答）を実行する（ステップＳ２）。具体的には、ＭＭＥ３は、ＨＳＳ７に対して位置登録を要求し、ＨＳＳ７から、ＶｏＬＴＥ用ＡＰＮを含む加入者プロファイルを取得する。
【００７６】
続いて、ＭＭＥ３は、ステップＳ２で取得したＡＰＮに基づいて、Ｓ−ＧＷ４及びＰ−ＧＷ５を経由してＰＣＲＦ６に対して、ＩＭＳデフォルトベアラの接続要求（セッション生成要求）を送信する（ステップＳ３）。ここでは一例として、第１のＰ−ＧＷ５（Ｐ−ＧＷ＃１）が接続先のＰ−ＧＷ５として選択されるものとする。また、ステップＳ３において、ＰＣＲＦ６は、端末Ｔに紐付く加入者プロファイルに含まれる情報（端末種別情報）をＭＭＥ３から取得する。これにより、端末情報記憶部６７に端末Ｔの端末種別情報が記憶される。
【００７７】
ステップＳ３において、第１のＰ−ＧＷ５（Ｐ−ＧＷ通知部５１）は、Ｄｉａｍｅｔｅｒプロトコルによるメッセージ（Diameter_CCR）によって、端末ＴのＩＤ（ここでは一例として「ＩＤ＃１」）とともに自装置が当該端末Ｔによって使用されることをＰＣＲＦ６に通知する。具体的には、Ｐ−ＧＷ通知部５１は、ＩＤ「ＩＤ＃１」及びＰ−ＧＷ＿ＩＤ「Ｐ−ＧＷ＃１」の組をＰＣＲＦ６に通知する。当該通知により、ＰＣＲＦ６（接続情報取得部６１）は、接続情報Ｃ１のうち、ＩＤ及びＰ−ＧＷ＿ＩＤの組を示す情報を取得する。言い換えれば、ＰＣＲＦ６は、ＩＤが「ＩＤ＃１」である端末Ｔが接続されるＰ−ＧＷ５（Ｐ−ＧＷ＃１）を把握する（ステップＳ４）。
【００７８】
続いて、ＰＣＲＦ６は、Ｐ−ＣＳＣＦディスカバリを実行することにより、端末Ｔが選択可能なＰ−ＣＳＣＦ８の候補を決定する（ステップＳ５）。ＰＣＲＦ６は、例えば、Ｐ−ＣＳＣＦ８への死活監視により応答が得られたＰ−ＣＳＣＦ８を候補として決定する。ＰＣＲＦ６は、候補として決定されたＰ−ＣＳＣＦ８を含むＰ−ＣＳＣＦリストを、セッション生成要求に対する応答（セッション生成応答）として、ＭＭＥ３に送信する（ステップＳ６）。その後、ＭＭＥ３は、端末ＴからのAttach要求に対する応答（Attach応答）により、アタッチ処理が完了したことを端末Ｔに通知するとともに、ＰＣＲＦ６から取得したＰ−ＣＳＣＦリストを通知する（ステップＳ７）。
【００７９】
次に、登録処理の手順（ステップＳ８〜Ｓ１３）について説明する。まず、端末Ｔは、アタッチ処理により取得したＰ−ＣＳＣＦリストに含まれるＰ−ＣＳＣＦ８の中から接続先となるＰ−ＣＳＣＦ８を決定（選択）する（ステップＳ８）。ここでは一例として、端末Ｔは、第１のＰ−ＣＳＣＦ８（Ｐ−ＣＳＣＦ＃１）を接続先のＰ−ＣＳＣＦ８として決定する。
【００８０】
続いて、端末Ｔは、接続先として決定したＰ−ＣＳＣＦ８に対してＳＩＰプロトコルによる登録要求（SIP  Register）を送信する（ステップＳ９）。その後、登録要求を受けた第１のＰ−ＣＳＣＦ８（Ｐ−ＣＳＣＦ通知部８１）は、ＰＣＲＦ６に対して認証処理の要求（Diameter_AAR）を送信するとともに、当該Ｐ−ＣＳＣＦ８が端末Ｔから選択及び登録（SIP_Reg）されたことを通知する（ステップＳ１０）。すなわち、Ｐ−ＣＳＣＦ通知部８１は、ＩＤ「ＩＤ＃１」及びＰ−ＣＳＣＦ＿ＩＤ「Ｐ−ＣＳＣＦ＃１」の組をＰＣＲＦ６に通知する。当該通知により、ＰＣＲＦ６（接続情報取得部６１）は、接続情報Ｃ１のうち、ＩＤ及びＰ−ＣＳＣＦ＿ＩＤの組を示す情報を取得する。言い換えれば、ＰＣＲＦ６は、端末Ｔが接続されるＰ−ＣＳＣＦ８（Ｐ−ＣＳＣＦ＃１）を把握する（ステップＳ１１）。
【００８１】
ＰＣＲＦ６（接続情報取得部６１）は、ステップＳ４で取得した情報（ＩＤ「ＩＤ＃１」とＰ−ＧＷ＿ＩＤ「Ｐ−ＧＷ＃１」との組）とステップＳ１１で取得した情報（ＩＤ「ＩＤ＃１」とＰ−ＣＳＣＦ＿ＩＤ「Ｐ−ＣＳＣＦ＃１」との組）とを併せることにより、接続情報Ｃ１を取得する。そして、接続情報取得部６１は、当該接続情報Ｃ１を接続情報記憶部６２に記憶させる（ステップＳ１２）。また、ＰＣＲＦ６は、ステップＳ１０の認証要求に対する認証処理を実行し、Ｐ−ＣＳＣＦ８に認証応答（Diameter_AAA）を送信する（ステップＳ１３）。
【００８２】
上述した一連のアタッチ処理及び登録処理が実行されることにより、端末Ｔの接続処理（ＩＭＳデフォルトベアラの接続確立）が完了するとともに、当該端末Ｔの接続情報Ｃ１がＰＣＲＦ６（接続情報記憶部６２）に記憶される。
【００８３】
次に、図６を用いて、ＳＧｉ区間Ｒの通信障害が発生した際の復旧手順の一例について説明する。無線通信システム１に含まれるＰ−ＣＳＣＦ８（ここでは一例として、Ｐ−ＣＳＣＦ＃１及びＰ−ＣＳＣＦ＃２）の各々は、死活監視部８３により、当該Ｐ−ＣＳＣＦ８に接続されているＰ−ＧＷ５に対する死活監視を定期的に実行する（ステップＳ２１）。
【００８４】
ここで、ＳＧｉ区間Ｒ（ここでは一例として第１のＰ−ＧＷ５（Ｐ−ＧＷ＃１）と第１のＰ−ＣＳＣＦ８（Ｐ−ＣＳＣＦ＃１）との間の通信区間）の通信障害が発生すると、第１のＰ−ＣＳＣＦ８の死活監視部８３が、当該通信障害を検知する（ステップＳ２２）。続いて、死活監視部８３により検知された通信障害（通信障害が検知された第１のＰ−ＧＷ５）が障害通知部８４に通知され、障害通知部８４からＰＣＲＦ６に対して当該通信障害が通知される（ステップＳ２３）。具体的には、障害通知部８４は、通信障害が検知されたＰ−ＧＷ５のＰＣＲＦ側アドレス（Ｐ−ＧＷ＿ＩＤの一例）と、自装置（Ｐ−ＣＳＣＦ８）を識別するＰ−ＣＳＣＦ＿ＩＤ）とをＰＣＲＦ６に通知する。これにより、ＰＣＲＦ６の障害検知部６３は、通信障害が発生したＳＧｉ区間Ｒの端部となるＰ−ＧＷ５及びＰ−ＣＳＣＦ８のそれぞれを識別するＰ−ＧＷ＿ＩＤ（Ｐ−ＧＷ＃１）及びＰ−ＣＳＣＦ＿ＩＤ（Ｐ−ＣＳＣＦ＃１）の組を把握する。障害検知部６３は、上記組の情報を端末抽出部６４に通知する。
【００８５】
続いて、障害検知部６３からの通知を受けた端末抽出部６４は、接続情報記憶部６２に記憶されている接続情報Ｃを参照することにより、通知されたＰ−ＧＷ＿ＩＤ及びＰ−ＣＳＣＦ＿ＩＤの組により特定されるＳＧｉ区間Ｒを含むＩＭＳデフォルトベアラが接続確立されている端末Ｔを抽出する（ステップＳ２４）。上記例では、端末抽出部６４は、少なくとも接続情報Ｃ１に基づき、第１のＰ−ＧＷ５（Ｐ−ＧＷ＃１）と第１のＰ−ＣＳＣＦ８（Ｐ−ＣＳＣＦ＃１）とに接続されている端末Ｔ（ＩＤが「ＩＤ＃１」の端末Ｔ）を抽出することになる。
【００８６】
続いて、接続復旧部６８が、端末抽出部６４により抽出された各端末ＴのＩＭＳデフォルトベアラを正常な状態に復旧する接続復旧処理を実行する。接続復旧部６８は、端末Ｔに対する接続復旧処理として第１の方式による接続復旧処理を実行する場合にはステップＳ２５ａの手順を実行する。一方、接続復旧部６８は、端末Ｔに対する接続復旧処理として第２の方式による接続復旧処理を実行する場合にはステップＳ２５ｂの手順を実行する。上述の通り、接続復旧部６８は、端末情報記憶部６７を参照することにより、処理対象の端末Ｔの端末種別を把握し、当該端末種別に応じて第１の方式及び第２の方式のいずれの方式による接続復旧処理を実行するかを決定することができる。なお、ステップＳ２６は、第１の方式及び第２の方式で共通に実行される手順である。
【００８７】
まず、第１の方式による接続復旧処理を実行する場合（ステップＳ２５ａ、Ｓ２６）の手順について説明する。第１の方式による接続復旧処理では、まず、接続復旧部６８は、Ｐ−ＣＳＣＦディスカバリを実行することにより、新たな接続先候補となるＰ−ＣＳＣＦ８を含むＰ−ＣＳＣＦリストを生成する（ステップＳ２５ａ１）。具体的には、接続復旧部６８は、通信障害が検知されたＳＧｉ区間Ｒに含まれるＰ−ＣＳＣＦ８（すなわち、障害通知部８４からの通知に含まれるＰ−ＣＳＣＦ＿ＩＤによって特定されるＰ−ＣＳＣＦ８）以外のＰ−ＣＳＣＦ８の中から端末Ｔの接続先候補となるＰ−ＣＳＣＦ８を決定する。上述の通り、接続復旧部６８は、負荷情報記憶部６６に記憶されている各Ｐ−ＣＳＣＦ８の負荷状態（ＣＰＵ使用率、メモリ使用率、ネットワーク使用率等）に基づいて、接続先候補となるＰ−ＣＳＣＦ８を決定してもよい。ここでは一例として、ステップＳ２５ａ１において、接続復旧部６８は、第２のＰ−ＣＳＣＦ８（Ｐ−ＣＳＣＦ＃２）を含むＰ−ＣＳＣＦリストを生成するものとする。
【００８８】
続いて、接続復旧部６８は、端末ＴのＩＭＳデフォルトベアラに含まれるＰ−ＣＳＣＦ８を変更するために、Ｐ−ＣＳＣＦリストを含む制御信号（IP-CAN  Session  Modification）をＰ−ＧＷ５に送信する（ステップＳ２５ａ２）。その後、Ｐ−ＧＷ５から端末Ｔに対してＰ−ＣＳＣＦリストを含むＩＭＳデフォルトベアラ変更要求信号が送信される（ステップＳ２５ａ３）。これに対して、端末Ｔから、ＩＭＳデフォルトベアラの変更要求に対する応答が、Ｐ−ＧＷ５を介してＰＣＲＦ６に返される（ステップＳ２５ａ４，Ｓ２５ａ５）。その後、端末Ｔは、ステップＳ２５ａ３において取得したＰ−ＣＳＣＦリストを参照し、新たな接続先となるＰ−ＣＳＣＦ８（ここでは一例としてＰ−ＣＳＣＦ＃２）を決定し、図５のステップＳ９と同様の登録処理をＰ−ＣＳＣＦ＃２に対して行う（ステップＳ２６）。これにより、端末ＴとＩＭＳネットワークＮＷ２との間に接続確立されるＩＭＳデフォルトベアラに含まれるＰ−ＣＳＣＦ８は、新たな接続先として選択された第２のＰ−ＣＳＣＦ８（Ｐ−ＣＳＣＦ＃２）に切り替えられる。
【００８９】
次に、第２の方式による接続復旧処理を実行する場合（ステップＳ２５ｂ）の手順について説明する。第２の方式による接続復旧処理では、まず、接続復旧部６８は、端末Ｔに対して制御信号（PCRF  initiated  Bearer  Deactivation）を送信することにより、端末Ｔが接続確立しているＩＭＳデフォルトベアラを解放する（ステップＳ２５ｂ１）。ＩＭＳデフォルトベアラを解放された端末Ｔは、ＩＭＳデフォルトベアラを新たに接続確立するために、ＩＭＳデフォルトベアラの接続要求をＳ−ＧＷ４を介してＰＣＲＦ６に送信する（ステップＳ２５ｂ２，Ｓ２５ｂ３）。接続復旧部６８は、当該端末Ｔからの接続要求を受けて、Ｐ−ＣＳＣＦディスカバリを実行することにより、新たな接続先候補となるＰ−ＣＳＣＦ８を含むＰ−ＣＳＣＦリストを生成する（ステップＳ２５ｂ４）。ここでは一例として、ステップＳ２５ａ１では、接続復旧部６８は、第２のＰ−ＣＳＣＦ８（Ｐ−ＣＳＣＦ＃２）を含むＰ−ＣＳＣＦリストを生成するものとする。
【００９０】
続いて、ＩＭＳデフォルトベアラ接続のための残りの手順が実行される。具体的には、ＰＣＲＦ６からＳ−ＧＷ４に対してＤｉａｍｅｔｅｒプロトコルによる通知（Dia_CCA）がされ（ステップＳ２５ｂ５）、Ｓ−ＧＷ４とＰＣＲＦ６との間で残りの手順が実行される（ステップＳ２５ｂ６）。最終的に、接続復旧部６８は、Ｓ−ＧＷ４等を介して、端末Ｔからの接続要求に対する応答として、Ｐ−ＣＳＣＦリストを含む制御信号を端末Ｔに送信する（ステップＳ２５ｂ７）。その後、端末Ｔは、ステップＳ２５ｂ７において取得したＰ−ＣＳＣＦリストを参照し、新たな接続先となるＰ−ＣＳＣＦ８（ここでは一例としてＰ−ＣＳＣＦ＃２）を決定し、図５のステップＳ９と同様の登録処理をＰ−ＣＳＣＦ＃２に対して行う（ステップＳ２６）。これにより、端末ＴとＩＭＳネットワークＮＷ２との間に、新たな接続先として選択されたＰ−ＣＳＣＦ８（Ｐ−ＣＳＣＦ＃２）を経由するＩＭＳデフォルトベアラが接続確立（再構築）される。
【００９１】
以上述べた無線通信システム１によれば、ＬＴＥネットワーク（第１通信ネットワーク）ＮＷ１に含まれるＰＣＲＦ（通信制御装置）６が、ＬＴＥネットワークＮＷ１に含まれるＰ−ＧＷ（第１中継装置）５とＩＭＳネットワーク（第２通信ネットワーク）ＮＷ２に含まれるＰ−ＣＳＣＦ（第２中継装置）８との間のＳＧｉ区間（通信区間）Ｒの通信障害を検知するとともに、接続情報Ｃに基づいて当該通信障害により影響を受ける端末Ｔを抽出し、抽出された端末ＴのＩＭＳデフォルトベアラ（通信経路）を自動復旧させることができる。具体的には、障害検知部６３が、ＳＧｉ区間Ｒの通信障害を検知し、端末抽出部６４が、接続情報記憶部６２に記憶されている接続情報Ｃを参照することにより当該通信障害により影響を受ける端末Ｔを抽出し、接続復旧部６８が、抽出された各端末ＴのＩＭＳデフォルトベアラを自動復旧させることができる。
【００９２】
また、無線通信システム１によれば、Ｐ−ＣＳＣＦディスカバリ機能をＰＣＲＦ６が備える構成において、ＳＧｉ区間Ｒの通信障害発生時に、端末ＴのＩＭＳデフォルトベアラの自動復旧を実現できる。すなわち、無線通信システム１によれば、設計の柔軟性を確保しつつ、ＳＧｉ区間Ｒにおける通信障害発生時に端末ＴのＩＭＳデフォルトベアラの自動復旧を行うことができる。
【００９３】
また、Ｐ−ＣＳＣＦ８は、死活監視部８３によって当該Ｐ−ＣＳＣＦ８と通信可能に接続されたＰ−ＧＷ５に対する死活監視を行い、当該死活監視により当該Ｐ−ＣＳＣＦ８との間の通信障害が検知されたＰ−ＧＷ５を障害通知部８４によってＰＣＲＦ６に通知する。そして、障害検知部６３は、上記通知を受け付けることにより、通知元のＰ−ＣＳＣＦ８と当該Ｐ−ＣＳＣＦ８により通知されたＰ−ＧＷ５との間のＳＧｉ区間Ｒの通信障害を検知する。このような仕組みにより、Ｐ−ＣＳＣＦ８からＰ−ＧＷ５に対する死活監視に基づく通知に基づいて、通信障害が発生したＳＧｉ区間Ｒ（すなわち、当該ＳＧｉ区間Ｒの端部となるＰ−ＣＳＣＦ８及びＰ−ＧＷ５の組み合わせ）を適切に検出することができる。
【００９４】
また、端末ＴがＩＭＳネットワークＮＷ２との間のＩＭＳデフォルトベアラを接続確立する処理（アタッチ処理及び登録処理）を実行する際に、接続情報取得部６１が、当該ＩＭＳデフォルトベアラに含まれるＰ−ＧＷ５及びＰ−ＣＳＣＦ８の各々からの通知を受け取ることにより、当該端末Ｔが接続されるＰ−ＧＷ５及びＰ−ＣＳＣＦ８の組み合わせを示す接続情報Ｃを取得する。そして、接続情報取得部６１により取得された接続情報Ｃは、接続情報記憶部６２に記憶される。このような仕組みにより、端末ＴがＩＭＳネットワークＮＷ２との間のＩＭＳデフォルトベアラを接続確立する処理を実行する際に、端末Ｔが接続される各装置（Ｐ−ＣＳＣＦ８及びＰ−ＧＷ５）からの通知に基づいて、端末の接続情報を確実且つ適宜のタイミングで取得及び記憶することができる。
【００９５】
また、接続復旧部６８は、端末抽出部６４により抽出された端末Ｔの各々について、当該端末Ｔの種別を示す端末種別情報を端末情報記憶部６７から取得し、当該端末Ｔの種別に基づいて、接続復旧処理の方式（本実施形態では一例として第１の方式及び第２の方式のいずれか）を決定する。このような仕組みにより、復旧対象の端末Ｔの種別に応じた適切な接続復旧方式を選択することが可能となる。
【００９６】
また、ＰＣＲＦ６は、Ｐ−ＣＳＣＦ８の処理負荷に関する負荷情報を取得する負荷情報取得部６５を備え、接続復旧部６８は、接続復旧処理において、負荷情報取得部６５により取得されたＰ−ＣＳＣＦ８毎の負荷情報に基づいて、端末Ｔの接続先候補となるＰ−ＣＳＣＦ８を決定する。このような仕組みにより、端末ＴのＩＭＳデフォルトベアラを復旧させる際に、各Ｐ−ＣＳＣＦ８の処理負荷に基づき、端末Ｔの接続先候補となるＰ−ＣＳＣＦ８を適切に決定することができる。例えば、処理負荷が予め定めた閾値以下であるＰ−ＣＳＣＦ８や処理負荷が最も小さいＰ−ＣＳＣＦ８等を端末Ｔの新たな接続先候補として決定することが可能となる。
【００９７】
補足すると、標準仕様（3GPP  TS  23.380）では、Ｐ−ＧＷからＰ−ＣＳＣＦの死活監視はユーザデータの伝送用経路として確立されるU-Plane接続を利用するため、Ｐ−ＧＷがＰ−ＣＳＣＦディスカバリの実行により新たな接続先候補となるＰ−ＣＳＣＦを決定する際に、Ｐ−ＣＳＣＦの負荷状態を加味することはできない。一方、本実施形態では、ＰＣＲＦ６とＰ−ＣＳＣＦ８との間が制御信号の伝送用経路として確立されるC-Plane接続となるため、Ｄｉａｍｅｔｅｒプロトコルに基づく制御信号により、負荷情報通知部８５から負荷情報取得部６５へとＰ−ＣＳＣＦ８の負荷状態を通知することができる。これにより、本実施形態では、C-Plane接続によってＰ−ＣＳＣＦ８からＰＣＲＦ６に対して受け渡される信頼性の高い情報（Ｐ−ＣＳＣＦ８の負荷状態）に基づいて、端末Ｔの新たな接続先候補となるＰ−ＣＳＣＦ８を適切に選別することができる。
【００９８】
以上、本発明をその実施形態に基づいて詳細に説明した。しかし、本発明は上記実施形態に限定されるものではない。本発明は、その要旨を逸脱しない範囲において様々な変形が可能である。
【００９９】
例えば、ＰＣＲＦ６の障害検知部６３及び端末抽出部６４は、Ｐ−ＣＳＣＦ８自体の障害が発生した際にも上記実施形態と同様の枠組みで端末ＴのＩＭＳデフォルトベアラの復旧を行えるように構成されてもよい。この場合、障害検知部６３は、例えば、無線通信システム１内のＰ−ＣＳＣＦ８に対する死活監視を更に実行する。具体的には、障害検知部６３は、無線通信システム１内のＰ−ＣＳＣＦ８のＰＣＲＦ６側の接続先アドレスを予め保持し、各Ｐ−ＣＳＣＦ８に対して特定の信号（ICMP_ECHO）を定期的に送信する。そして、障害検知部６３は、あるＰ−ＣＳＣＦ８からの応答が途絶えた場合に、当該Ｐ−ＣＳＣＦ８を識別する情報（例えばＰ−ＣＳＣＦ８のＰＣＲＦ６側の接続先アドレス等のＰ−ＣＳＣＦ＿ＩＤ）を端末抽出部６４に通知する。当該通知を受けた端末抽出部６４は、接続情報記憶部６２を参照し、障害検知部６３から通知されたＰ−ＣＳＣＦ＿ＩＤを含む接続情報Ｃに紐付く端末Ｔを復旧対象の端末Ｔとして抽出する。これにより、障害検知部６３からの死活監視に対する応答が途絶えたＰ−ＣＳＣＦ８に接続されている端末Ｔについて、接続先のＰ−ＣＳＣＦ８を変更することができる。
【符号の説明】
【０１００】
１…無線通信システム、２…ｅＮＢ、３…ＭＭＥ、４…Ｓ−ＧＷ、５…Ｐ−ＧＷ（第１中継装置）、６…ＰＣＲＦ（通信制御装置）、７…ＨＳＳ，８…Ｐ−ＣＳＣＦ（第２中継装置）、６１…接続情報取得部、６２…接続情報記憶部、６３…障害検知部、６４…端末抽出部、６５…負荷情報取得部、６８…接続復旧部、８３…死活監視部、８４…障害通知部、８５…負荷情報通知部、ＮＷ１…ＬＴＥネットワーク（第１通信ネットワーク）、ＮＷ２…ＩＭＳネットワーク（第２通信ネットワーク）、Ｔ…端末。
【図１】
0006450280.tif 000002
【図２】
0006450280.tif 000003
【図３】
0006450280.tif 000004
【図４】
0006450280.tif 000005
【図５】
0006450280.tif 000006
【図６】
0006450280.tif 000007